(57)【要約】【課題】  平らな物品が単体の状態でも、重ねられた場合でも、この物品に付された無線タグの情報を読み取りが容易な、無線タグを有する物品を提供すること。【解決手段】  第１、第２の板体から成り一側端で固着され折りたたみ可能な物品と、前記第１の板体の、前記第２の板体に対向した面に設けられた第１の導体と、前記第２の板体の、前記第１の板体に対向した面に設けられた第２の導体と、この第２の導体と接続され無線タグの読取装置と交信を行なう送受信器とを備え、前記第１，第２の板体が折りたたまれたとき前記第１の導体と前記第２の導体が前記送受信器に接続されたループアンテナを形成することを特徴とする、無線タグを有する物品。【選択図】図１
2006277000.tif 000002
【特許請求の範囲】
【請求項１】
第１、第２の板体から成り一側端で固着され折りたたみ可能な物品と、
前記第１の板体の、前記第２の板体に対向した面に設けられた第１の導体と、
前記第２の板体の、前記第１の板体に対向した面に設けられた第２の導体と、
この第２の導体と接続され無線タグの読取装置と交信を行なう送受信器とを備え、
前記第１，第２の板体が折りたたまれたとき前記第１の導体と前記第２の導体が前記送受信器に接続されたループアンテナを形成することを特徴とする、無線タグを有する物品。
【請求項２】
第１、第２の板体から成り一側端で固着され折りたたみ可能な物品と、
前記第１の板体の、第２の板体に対向した面に設けられた第１の導体と、
前記第１，第２の板体が折りたたまれたとき前記棒状導体の各端と、その各端が接続してループアンテナを形成するように前記第２の板体に設けられた一対の第２の導体と、
この一対の第２の導体の他端間に接続され無線タグの読取装置と交信を行なう送受信器と、
から成ることを特徴とする、無線タグを有する物品。
【請求項３】
前記第１の導体は棒状を成しており、前記一対の第２の導体の各々はコの字状を有して成ることを特徴とする請求項２記載の、無線タグを有する物品。
【請求項４】
前記第１の導体は凹形状を成しており、前記一対の第２の導体の各々は直線形状を有してなることを特徴とする請求項２記載の、無線タグを有する物品。
【請求項５】
前記第１の導体は凹形状を成しており、前記一対の第２の導体の各々はＬ字形状を有してなることを特徴とする請求項２記載の、無線タグを有する物品。
【発明の詳細な説明】
【技術分野】
【０００１】
本発明は、無線タグを有する平板上の物品に係り、特にこの種の物品の読み取りが容易な、無線タグを有する物品に関する。
【背景技術】
【０００２】
物品に固着した無線タグと交信することにより、当該物品に関する情報を無線タグの読取装置で取得する無線タグシステムは、いろいろな分野で、最近、急速に実用化されてきている。
【０００３】
このようなシステムで、書類のような平らな物品に付された無線タグの情報を読み取る場合、書類が積み重ねられると、無線タグが狭い領域に集められることになり、読取装置で、各書類の個別の情報が読み取りにくいという問題がある。
【発明の開示】
【発明が解決しようとする課題】
【０００４】
本発明は、上記のような従来の問題点にかんがみてなされたもので、平らな物品が単体の状態でも、重ねられた場合でも、この物品に付された無線タグの情報を読み取りが容易な、無線タグを有する物品を提供することを目的とする。
【課題を解決するための手段】
【０００５】
本発明の請求項１によれば、第１、第２の板体から成り一側端で固着され折りたたみ可能な物品と、前記第１の板体の、前記第２の板体に対向した面に設けられた第１の導体と、前記第２の板体の、前記第１の板体に対向した面に設けられた第２の導体と、この第２の導体と接続され無線タグの読取装置と交信を行なう送受信器とを備え、前記第１，第２の板体が折りたたまれたとき前記第１の導体と前記第２の導体が前記送受信器に接続されたループアンテナを形成することを特徴とする、無線タグを有する物品を提供する。
【０００６】
本発明の請求項２によれば、第１、第２の板体から成り一側端で固着され折りたたみ可能な物品と、前記第１の板体の、第２の板体に対向した面に設けられた第１の導体と、前記第１，第２の板体が折りたたまれたとき前記棒状導体の各端と、その各端が接続してループアンテナを形成するように前記第２の板体に設けられた一対の第２の導体と、この一対の第２の導体の他端間に接続され無線タグの読取装置と交信を行なう送受信器と、から成ることを特徴とする、無線タグを有する物品を提供する。
【発明の効果】
【０００７】
本発明によれば、単体でも、あるいは積み重ねられた状態でも無線タグの情報の読み取りが容易な、無線タグを有する物品が得られる効果がある。
【発明を実施するための最良の形態】
【０００８】
以下、本発明の実施形態について図面を用いて説明する。図１（ａ）（ｂ）に本発明一実施形態の後述する板体が開いたときと、折たたまれたときの状態を示す。
【０００９】
この物品１０は、一側端１１が固着された第１、第２の板体１２ａ，１２ｂと、第１の板体の、第２の板体との対向面１３ａに設けられた棒状導体１４と、前記第２の板体１２ｂの、第１の板体との対向面１３ｂに設けられた送受信器１５と、この送受信器１５に各端を接続され各々の他端１６ａ，１６ｂは、上記第１,第２の板体１２ａ，１２ｂが折りたたまれたとき上記棒状導体１４の各端１４ａ，１４ｂに接続される一対のコの字状のアンテナ導体１７ａ，１７ｂとから成る。
【００１０】
図１（ａ）に示す状態では、第１の板体１２ａと第２の板体１２ｂが側端１１を基準に開かれた状態である。この状態では、コの字状導体１７ａ，１７ｂは、棒状導体１４と離されており、図２（ａ）に示す形状のアンテナ２１が送受信器２２に接続された状態となっている。このアンテナは、一種のオープンループのアンテナである。
【００１１】
一方、図１（ｂ）に示すように、第１の板体１２ａと第２の板体１２ｂが側端１１を基準に完全に閉じた状態になると、送受信器２２に接続されたアンテナ２３は、ループアンテナを形成することになる。図１（ａ）と図１（ｂ）の間の状態では、電気的にもオープンアンテナからループアンテナの中間のアンテナとなる。
【００１２】
送受信器１５とアンテナ（コの字状のアンテナ導体１７ａ及びコの字状のアンテナ導体１７ｂと棒状導体１４）が、無線タグを構成し、第１の板体１２ａと第２の板体１２ｂが完全に開いているときには、棒状導体１４は実質的にはアンテナとして寄与しないが、矢印１９の方向に上記板体が閉じられるにつれて、アンテナの一部として機能し、完全に閉じた状態では、棒状導体１４はアンテナ導体１７ａ，１７ｂは接触して接続され、送受信器１５に接続されたアンテナはループアンテナとなる。
【００１３】
図２（ａ）に示すように無線タグのアンテナがオープンループのときのインピーダンスは、５０Ω（オーム）であり、図２（ｂ）に示すように無線タグのアンテナがループアンテナとなると、２００Ωとなる。それらの中間の状態では、インピーダンスも中間の値を取ることになる。
【００１４】
この物品１０が単体で持ち運ばれるときには、図１（ａ）に示す状態に近く、無線タグの読取装置との交信はオープンループのアンテナの状態でなされるので、インピーダンスは５０Ωに近く、良好に交信を行なうことが可能である。
【００１５】
一方、物品１０が積み重ねられたときには、図１（ｂ）に示す状態に近くなる。したがって無線タグを構成するアンテナがループアンテナに近くなり、インピーダンスが２００Ωに近くなって、各無線タグとの交信は良好になされることがわかった。
【００１６】
ところで上記実施形態では、棒状導体１４とアンテナ導体１７ａ，１７ｂにより、無線タグのアンテナが構成される例について説明した。しかし、これらの導体はこのような形状の場合に限られず、例えば図３に示すように、無線タグの送受信器３２に接続されるアンテナ導体３３ａ，３３ｂが棒状の導体であり、これに対向する導体３４が凹字状の導体であってもよい。
【００１７】
あるいは図４に示すように、無線タグの送受信器４２に接続されるアンテナ導体４３ａ，４３ｂと、これに対向する導体４４が対称になる形状のものであってもよい。
【００１８】
なお上記実施形態の説明では、棒状導体１４とアンテナ導体１７ａ，１７ｂが接触状態にあるとして説明したが、棒状導体１４とアンテナ導体１７ａ，１７ｂの間に若干の空間が存在していても、これらがいわゆる容量性結合状態であれば、本発明の技術は成立する。
【図面の簡単な説明】
【００１９】
【図１】本発明一実施形態の無線タグを有する物品の板体を開いた状態を示す図。
【図２】本発明一実施形態の無線タグを有する物品の板体を閉じた状態を示す図。
【図３】本発明の他の実施形態の無線タグの導体の形状を示す図。
【図４】本発明の更に他の実施形態の無線タグの導体の形状を示す図。
【符号の説明】
【００２０】
１１・・・側端、
１２ａ・・・第１の板体、
１２ｂ・・・第２の板体、
１３ａ，１３ｂ・・・対向面、
１４・・・棒状導体、
１５，２２，３２，４２・・・送受信器、
１７ａ，１７ｂ，３３ａ，３３ｂ，４３ａ，４３ｂ・・・アンテナ導体、
１９・・・矢印、
２１，２２・・・アンテナ、
３４，４４・・・導体。
【図１】
2006277000.tif 000003
【図２】
2006277000.tif 000004
【図３】
2006277000.tif 000005
【図４】
2006277000.tif 000006